(57)【要約】【課題】  分電盤のケース内において、外部から引き込まれたアース線が膨らんだ配線態様とはならないアース線中継端子台及びこれを内部に備えた分電盤を提供する。【解決手段】  複数のアース線挿入孔１２，…が長手方向に間隔を有して形成される長尺な本体１１と、該本体１１内に設けられ、アース線挿入孔１２，…内に挿入される二次側アース線が接続される複数の速結端子と、該速結端子と電気的に接続され、一次側アース線が接続される端子１３とを備え、アース線挿入孔１２，…が、本体１１の長手方向に沿って形成され、且つ、本体１１の長手方向に向かって開口するアース線中継端子台を用いる。【選択図】図１
2010252543.tif 000002
【特許請求の範囲】
【請求項１】
複数のアース線挿入孔が長手方向に間隔を有して形成される長尺な本体と、該本体内に設けられ、アース線挿入孔内に挿入される二次側アース線が接続される複数の速結端子と、該速結端子と電気的に接続され、一次側アース線が接続される端子とを備えるアース線中継端子台において、アース線挿入孔は、本体の長手方向に沿って形成され、且つ、本体の長手方向に向かって開口することを特徴とするアース線中継端子台。
【請求項２】
本体の上面は、長手方向において段差状に形成され、各段差の立面にアース線挿入孔が形成される請求項１に記載のアース線中継端子台。
【請求項３】
本体の上面は、該本体の中央部から端部に向かうほど低くなっていく段差状に形成され、各段差の立面にアース線挿入孔が形成される請求項１又は２に記載のアース線中継端子台。
【請求項４】
二つのアース線挿入孔が一つの立面に所定間隔を有して横並びに形成される請求項２又は３に記載のアース線中継端子台。
【請求項５】
各段差の二つのアース線挿入孔に対して一つの解除カムが設けられ、該解除カムを一方向に操作すると、一方のアース線挿入孔に挿入された二次側アース線の速結端子による拘束を解除でき、解除カムを他方向に操作すると、他方のアース線挿入孔に挿入された二次側アース線の速結端子による拘束を解除できるよう構成されてなる請求項４に記載のアース線中継端子台。
【請求項６】
請求項１〜５の何れか１項に記載されたアース線中継端子台と、該アース線中継端子台及び少なくとも分岐ブレーカを内部に備える正面側が開放されたケースと、該ケースの正面側の開放部を開閉自在に覆う正面カバーとを備える分電盤であって、アース線中継端子台は、その本体の長手方向がケースの外周部における周方向と一致乃至略一致するように、ケースの外周部に配置されることを特徴とする分電盤。
【発明の詳細な説明】
【技術分野】
【０００１】
本発明は、住宅、店舗、工場又は倉庫などの建物内に設置される電気機器、電子機器若しくは電気設備（以下、総称して「電気機器」という）又はコンセントの接地極に施す接地工事の接地線（以下、「二次側アース線」という）と、大地等の基準電位点となる接地極に接続される接地線（以下、「一次側アース線」という）とを接続するための接地分岐線端子台（以下、「アース線中継端子台」という）及びこれを内部に備えた分電盤に関する。
【背景技術】
【０００２】
例えば住宅用の分電盤では、図１１に示す如く、壁面に取り付けられるケース１００内に、リミッタ台１０２、主幹ブレーカ１０３あるいは複数の分岐ブレーカ１０４，…などが配置され、ケース１００のベース１０１における適宜箇所に形成された開口部１０５，…を通って壁面内からケース１００内に引き込まれる屋内配線が各分岐ブレーカ１０４に接続されるようになっている。分岐ブレーカ１０４に接続される屋内配線には、２芯の電線からなるタイプのほか、２芯の電線にアース線を加えたタイプや、アース線を含む３芯の電線からなるタイプといった、接地極付のコンセントに接続されるものがあり、これらアース線（二次側アース線）は、分岐ブレーカ１０４ではなく、同じくケース１００内に配置されるアース線中継端子台１１０に接続され、該アース線中継端子台１１０から別のアース線（一次側アース線）を介して大地等の基準電位点にアース接続される。
【０００３】
この種のアース線中継端子台１１０としては、図１２に示す如く、正面に一列に配置される複数のアース線挿入孔１１２，…を有するカバー１１１と、該カバー１１１の背面に配置され、両端部がカバー１１１よりも長く突出した端子板１１３と、複数のアース線挿入孔１１２，…に対応してカバー１１１内に一列に配置され、アース線挿入孔１１２内に挿入される二次側アース線が接続される複数の速結端子１１４，…と、カバー１１１の正面に一列に配置された速結端子１１４用の複数のリリースボタン１１５，…と、端子板１１３の両端部に設けられる一対のねじ端子１１６，１１６と、カバー１１１をケース１００のベース１０１に取り付けるための一対の取付ねじ部１１７，１１７とを備えるものであって、図１１に示す如く、カバー１１１の正面のアース線挿入孔１１２，…、リリースボタン１１５，…及び取付ねじ部１１７，１１７と、端子板１１３の正面のねじ端子１１６，１１６とがそれぞれケース１００の開口部側（正面側）に向かうように、ケース１０１内に取り付けられるものが公知である（特許文献１）。
【０００４】
そして、このアース線中継端子台１１０には、例えば銅泊や導電板などで構成される導電部１２０が接続され、また、この導電部１２０の端部がベース１０１の開口部１０５近傍に配置されると共に、この導電部１２０の端部に、ベース１０１の開口部１０５を通って壁面内からケース１００内に引き込まれる一次側アース線を接続可能なねじ端子１２１が設けられる。従って、何れもベース１０１の開口部１０５を通ってケース１００内に引き込まれる一次側アース線及び二次側アース線は、アース線中継端子台１１０（より詳しくは、速結端子１１４、端子板１１３及びねじ端子１１６）、導電部１２０及びねじ端子１２１を介して電気的に導通状態となり、アース接続が可能となる。
【先行技術文献】
【特許文献】
【０００５】
【特許文献１】特許第３５１４２２５号公報
【発明の概要】
【発明が解決しようとする課題】
【０００６】
しかしながら、上記特許文献１に記載されたアース線中継端子台においては、二次側アース線がケース１００のベース１０１の開口部１０５，…を通って壁面内からケース１００内に引き込まれる方向と、ケース１００内に引き込まれた二次側アース線をアース線中継端子台１１０のアース線挿入孔１１２内に挿入する方向とが逆であるため、ケース１００内の二次側アース線は、正面側に膨らんだ配線態様となり、見栄えが悪くなるばかりでなく、二次側アース線の膨らんだ部分が分電盤の正面カバーの内面に接触し、膨らみの程度が大きいと、正面カバーが正面側に付勢されるため、ケース１００から離れて浮き上がるといった問題が生じる。
【０００７】
そこで、本発明は、上記問題に鑑みてなされたもので、分電盤のケース内において、外部から引き込まれたアース線が膨らんだ配線態様とはならないアース線中継端子台及びこれを内部に備えた分電盤を提供することを課題とする。
【課題を解決するための手段】
【０００８】
本発明に係るアース線中継端子台は、上記課題を解決すべく構成されたもので、複数のアース線挿入孔が長手方向に間隔を有して形成される長尺な本体と、該本体内に設けられ、アース線挿入孔内に挿入される二次側アース線が接続される複数の速結端子と、該速結端子と電気的に接続され、一次側アース線が接続される端子とを備え、アース線挿入孔が、本体の長手方向に沿って形成され、且つ、本体の長手方向に向かって開口することを特徴とする。
【０００９】
かかる構成によれば、アース線中継端子台におけるアース線挿入孔が分電盤のケース内に引き込まれる二次側アース線の配線の自然な流れに沿った配置となり、接続される二次側アース線と本体の長手方向とが一致乃至略一致し、円滑な配線態様となって、見栄えも良い。尚、「アース線挿入孔が、本体の長手方向に沿って形成され、且つ、本体の長手方向に向かって開口する」とは、アース線挿入孔の中心軸と本体の長手方向とが絶対的に一致乃至平行となるものに限定されず、両者間にある程度の角度が付いていてもよい。
【００１０】
また、本発明に係るアース線中継端子台は、本体の上面が、長手方向において段差状に形成され、各段差の立面にアース線挿入孔が形成される構成や、本体の上面が、該本体の中央部から端部に向かうほど低くなっていく段差状に形成され、各段差の立面にアース線挿入孔が形成される構成を採用することができる。
【００１１】
かかる構成によれば、アース線挿入孔の位置が、段々と上面側に移り、且つ、段々と長手方向に移るといった、立体的な配置となるため、二次側アース線が複数本あっても、その接続を容易に行うことができるようになる。また、後者の構成によれば、二次側アース線を本体の長手方向の一方からと他方からとに振り分けて接続することができる。
【００１２】
また、本発明に係るアース線中継端子台は、二つのアース線挿入孔が一つの立面に所定間隔を有して横並びに形成される構成を採用することができる。
【００１３】
かかる構成によれば、より多くの二次側アース線を接続することができる。
【００１４】
また、本発明に係るアース線中継端子台は、各段差の二つのアース線挿入孔に対して一つの解除カムが設けられ、該解除カムを一方向に操作すると、一方のアース線挿入孔に挿入された二次側アース線の速結端子による拘束を解除でき、解除カムを他方向に操作すると、他方のアース線挿入孔に挿入された二次側アース線の速結端子による拘束を解除できるような構成を採用することができる。
【００１５】
一つの解除ボタンを操作して、二つのアース線挿入孔に挿入された計二本の二次側アース線の速結端子による拘束を解除する構造は従来からもあるが、これでは、同時に作用するため、所望しない側の二次側アース線が不用意に抜けてしまうという問題があったが、上記構成によれば、解除カムは共通であるものの、両方に同時に作用することはなく、上記問題は生じ得ない。
【００１６】
また、本発明に係る分電盤は、上記したアース線中継端子台と、該アース線中継端子台及び少なくとも分岐ブレーカを内部に備える正面側が開放されたケースと、該ケースの正面側の開放部を開閉自在に覆う正面カバーとを備え、アース線中継端子台が、その本体の長手方向がケースの外周部における周方向と一致乃至略一致するように、ケースの外周部に配置されることを特徴とする。
【００１７】
かかる構成によれば、ケース内に引き込まれる二次側アース線は、正面側に膨らんだ配線態様とはならず、見栄えが良いばかりでなく、正面カバーの内面に接触することがないため、正面カバーの浮き上がりを好適に防止することができ、また、配線の流れがケースの外周部における周方向と一致するため、配線の流れがバラバラといった統一感のない煩雑なイメージではなく、配線の流れを整流化でき、その結果、分岐ブレーカ側の領域に配線が入り込むといった事態が生じにくく、これにより、分岐ブレーカへの電線接続を円滑に行うことができる。
【発明の効果】
【００１８】
以上の如く、本発明は、アース線中継端子台におけるアース線挿入孔が分電盤のケース内に引き込まれるアース線の配線の自然な流れに沿った配置となるため、そのアース線がケース内で膨らんだ配線態様とはならず、その結果、見栄えが良いばかりでなく、分電盤の正面カバーの内面に接触することがないため、正面カバーの浮き上がりを好適に防止することができる。
【図面の簡単な説明】
【００１９】
【図１】本実施形態に係るアース線中継端子台の外観斜視図を示す。
【図２】同実施形態に係るアース線中継端子台であって、（ａ）は、正面図、（ｂ）は、左側面図、（ｃ）は、右側面図、を示す。
【図３】同実施形態に係るアース線中継端子台の分解斜視図を示す。
【図４】同実施形態に係るアース線中継端子台からカバーを外した状態であって、（ａ）は、全体斜視図、（ｂ）は、要部拡大斜視図、（ｃ）は、要部拡大側面図、を示す。
【図５】同実施形態に係るアース線中継端子台において用いられる速結端子の外観斜視図を示す。
【図６】同実施形態に係るアース線中継端子台において用いられる解除カムであって、（ａ）は、一方向から見た斜視図、（ｂ）は、他方向から見た斜視図、を示す。
【図７】同実施形態に係るアース線中継端子台をケースのベースにおける第一箇所に取り付けた分電盤であって、（ａ）は、正面図、（ｂ）は、斜視図、を示す。
【図８】同実施形態に係るアース線中継端子台をケースのベースにおける第二箇所に取り付けた分電盤であって、（ａ）は、正面図、（ｂ）は、斜視図、を示す。
【図９】同実施形態に係るアース線中継端子台をケースのベースにおける第三箇所に取り付けた分電盤であって、（ａ）は、正面図、（ｂ）は、斜視図、を示す。
【図１０】同実施形態に係るアース線中継端子台をケースのベースにおける第四箇所に取り付けた分電盤であって、（ａ）は、正面図、（ｂ）は、斜視図、を示す。
【図１１】従来のアース線中継端子台をケースのベースにおける所定箇所に取り付けた分電盤の正面図を示す。
【図１２】同従来のアース線中継端子台の正面図を示す。
【発明を実施するための形態】
【００２０】
まず、本実施形態に係るアース線中継端子台の外観構成について、図１及び図２を参酌しつつ説明する。本実施形態に係るアース線中継端子台１０は、絶縁性を有する例えば樹脂成形品からなる本体１１に、二次側アース線（より詳しくは、被覆が剥がされて芯線が露出した二次側アース線の端部）が挿入されるアース線挿入孔１２と、一次側アース線（より詳しくは、被覆が剥がされて芯線が露出した一次側アース線の端部）が挿入されるアース線挿入孔１３とを備える。
【００２１】
本体１１は、底部が平坦な長尺体からなり、長手方向の中心を対象として線対称に形成される。また、本体１１の上部は、本体１１の中央部から端部に向かうほど低くなっていく段差状に形成され、各段差の立面１４に、前記アース線挿入孔１２が形成される。本実施形態においては、段数が片側四段（本体１１の端部を除くと、片側三段）となっており、また、一つの立面１４に二つのアース線挿入孔１２，１２が形成、より詳しくは、二つのアース線挿入孔１２，１２が一つの立面１４に所定間隔を有して横並びに形成されるので、アース線挿入孔１２の数は、片側六個、合計十二個であり、従って、二次側アース線を十二本まで接続可能となっている。
【００２２】
各段差の立面１４は、厳密には垂直ではなく（但し、垂直であってもよい）、垂直面に対して０〜４５度（本実施形態においては、２０度）で傾いており、従って、アース線挿入孔１２は、その中心線が水平面（即ち、分電盤のケースへの取付面である本体１１の背面）に対して０〜４５度（本実施形態においては、２０度）で傾くようにして、各段差の立面１４上で開口する。
【００２３】
一方、各段差の平面１５は、周辺領域を除く内方領域が立面１４の傾斜（言い換えれば、アース線挿入孔１２の中心線の傾斜）に応じて傾斜し、その結果、各段差の平面１５は、傾斜状に凹んだ形態を呈する。そして、その平面１５には、解除カム１６が配置される。より詳しくは、解除カム１６は、円柱状乃至円筒状を有し、その上面には、プラスドライバやマイナスドライバといった工具の先端部を係合可能な係合部が形成される一方、平面１５には、解除カム１６の上端部を挿入可能とすべく、解除カム１６の断面形状に応じた通孔（円孔）が形成され、解除カム１６の上端部が平面１５の通孔に挿入された状態で、解除カム１６の上面は、段差の平面１５と面一乃至略面一となる。
【００２４】
また、本体１１は、長手方向の中央部から側方に突出する部分１７を有する。そして、この突出部分１７は、下部から本体１１の長手方向に延出する部分１８を有しており、突出部分１７の側端面であって、延出部分１８に接する箇所に、前記アース線挿入孔１３が形成される。さらに、延出部分１８の上面には、アース線挿入孔１３へと続く曲面状のガイド用凹部１９が形成され、一次側アース線をアース線挿入孔１３内に挿入する際のガイドとして機能する。本実施形態においては、突出部分１７の一方の側端面と他方の側端面とにそれぞれ延出部分１８が設けられ、ガイド用凹部１９及びアース線挿入孔１３の組数は、二組であり、従って、一次側アース線を本体１１の長手方向の一方から挿入することも他方から挿入することもできるようになっている。
【００２５】
しかも、突出部分１７には、上下方向に貫通する通孔が形成され、該通孔に締結手段としてのビス２０が挿入される。即ち、一次側アース線をアース線挿入孔１３内に挿入した状態で、ビス２０を締めると、一次側アース線は強固に固定されて抜けなくなり、また、ビス２０を緩めると、一次側アース線がアース線挿入孔１３から抜けるようになる。尚、ビス２０は、二つのアース線挿入孔１３，１３に対応して一対設けられ、且つ、その頭部が本体１１の上面からはみ出ないように長さ寸法が設定される。
【００２６】
また、本体１１は、その両端部に通孔２１，２１を有する。該通孔２１は、本体１１の幅方向に沿って長い長孔となっており、ここにビス（図示しない）を通し、後述する分電盤のケースのベース（背面部）における所定箇所に螺着させることにより、本体１１（アース線中継端子台１０）を取り付けることができるようになっている。
【００２７】
次に、本実施形態に係るアース線中継端子台１０の内部構成について、図３及び図４を参酌しつつ説明する。尚、上記したアース線中継端子台１０の外観構成のうち、以下の内部構成の説明において登場しないものについては、図面が煩雑になるのを防ぐために、図面中に符号を付していない。
【００２８】
本体１１は、内部空間を有し、底面が開口されたカバー２５と、該カバー２５の底面を閉塞するベース２６とからなる。該ベース２６は、カバー２５の下部開口内に嵌合され、隠れて見えなくなるため、本体１１の外観と言えば、それはカバー２５の外観である。
【００２９】
ベース２６の上面には、各解除カム１６をその軸回りに回転可能にして下方から支持する突片２７が突設される。該突片２７は、アース線挿入孔１２の中心線の傾斜に応じて、先端部が傾斜するよう屈曲しており、この上に、解除カム１６が載置される。従って、各解除カム１６は、その上端部がカバー２５の上面に形成された通孔によって回転自在に拘束され、且つ、その下端部が突片２７の屈曲部によって回転自在に拘束される結果、円滑に回転することができる。尚、本実施形態においては、片側に三段で解除カム１６が配置されるので、突片２７は、片側で三つ設けられ、しかも、ベース２６の中央部から端部に向かうほど高さが低く設定される。
【００３０】
また、ベース２６の上面には、導電性を有する例えば金属板からなる端子板２８が載置される。該端子板２８は、両端部がアース線挿入孔１２の中心線の傾斜に応じて屈曲されて端部側のアース線挿入孔１２に対応する第一端子板２９と、該第一端子板２９上に載置され、コ字状に屈曲された板材の各端部がアース線挿入孔１２の中心線の傾斜に応じて屈曲されて中間のアース線挿入孔１２及び中央部側のアース線挿入孔１２に対応する一対の第二端子板３０，３０とからなる。そして、これら第一及び第二の端子板２９，３０，３０は、リベット３１によって一体化され、全体が導電体となる。尚、第一端子板２９には、一対の通孔３２，３２が形成されると共に、一対の凸部３３，３３が形成され、各第二端子板３０には、一対の通孔３４，３４が形成されるが、これは、第一端子板２９の各凸部３３が各第二端子板３０の一方の通孔３４に挿入された状態で、リベット３１が第一端子板２９の各通孔３２及び各第二端子板３０の他方の通孔３４に挿通された後、かしめられることにより、第一端子板２９に対して第二端子板３０をガタツキなく固定するための施策である。
【００３１】
そして、端子板２８、より詳しくは、第一端子板２９は、一次側アース線が挿入されるアース線挿入孔１３に対応する箇所まで延びる延出部３５を備える。該延出部３５は、アース線挿入孔１３が一対設けられるのに対応してベース２６の長手方向両方向に延びる帯状体からなる。そして、前記ビス２０が螺着された導電性を有する例えば金属製の角筒体３６（アース線挿入孔１３と一致する形状）が帯状体に外挿される。従って、一次側アース線がアース線挿入孔１３内に挿入され、その結果、角筒体３６内に挿入された状態において、ビス２０を締め付けると、一次側アース線は、延出部３５の帯状体とビス２０の先端部との間で挟持され、第一端子板２９（端子板２８）と電気的に接続される。
【００３２】
また、ベース２６の上面には、導電性を有する例えば金属製の速結端子３７が設けられる。該速結端子３７は、ベース２６上に載置されて端部側のアース線挿入孔１２に対応する箇所と、第一端子板２９の屈曲部上に載置されて中間のアース線挿入孔１２に対応する箇所と、第二端子板２９の一方（端部側）の屈曲部上に載置されて中央部側のアース線挿入孔１２に対応する箇所とに配置される。
【００３３】
速結端子３７は、図５にも示す如く、端子板２８に接触する基部３８と、該基部３８から延出し、アース線挿入孔１２内に挿入される二次側アース線に食い付いて抜け止めをする鎖錠片部３９と、先端部が滑らかに屈曲され、アース線挿入孔１２内に挿入される二次側アース線を端子板２８に圧着させる圧着片部４０とを備え、全体として側面視にて略Ｕ字状に屈曲されたものである。
【００３４】
より詳しくは、端部側（一段目）に配置される速結端子３７は、その鎖錠片部３９及び圧着片部４０が第一端子板２９（の屈曲部）の裏面側と所定間隔（被覆が剥がされて露出した二次側アース線の芯線の直径よりも狭い間隔）を形成するように配置されて、端部側（一段目）のアース線挿入孔１２に対応した速結端子構造を構成し、中間（二段目）に配置される速結端子３７は、その鎖錠片部３９及び圧着片部４０が第二端子板３０（の一方の屈曲部）の裏面側と同じく所定間隔を形成するように配置されて、中間（二段目）のアース線挿入孔１２に対応した速結端子構造を構成し、中央部側（三段目）に配置される速結端子３７は、その鎖錠片部３９及び圧着片部４０が第一端子板２９（の他方の屈曲部）の裏面側と同じく所定間隔を形成するように配置されて、中央部側（三段目）のアース線挿入孔１２に対応した速結端子構造を構成する。
【００３５】
従って、端部側（一段目）のアース線挿入孔１２内に挿入される二次側アース線は、第一端子板２９の端部及びこれに対応する速結端子３７間に、その鎖錠片部３９及び圧着片部４０を撓ませるようにして挿入され、且つ、鎖錠片部３９によって引き抜きができない状態が維持されつつ、圧着片部４０によって第一端子板２９（端子板２８）と電気的に接続され、中間（二段目）のアース線挿入孔１２内に挿入される二次側アース線は、第二端子板３０の一方側の端部及びこれに対応する速結端子３７間に、その鎖錠片部３９及び圧着片部４０を撓ませるようにして挿入され、且つ、鎖錠片部３９によって引き抜きができない状態が維持されつつ、圧着片部４０によって第二端子板３０（端子板２８）と電気的に接続され、中央部側（三段目）のアース線挿入孔１２内に挿入される二次側アース線は、第二端子板３０の他方側の端部及びこれに対応する速結端子３７間に、その鎖錠片部３９及び圧着片部４０を撓ませるようにして挿入され、且つ、鎖錠片部３９によって引き抜きができない状態が維持されつつ、圧着片部４０によって第二端子板３０（端子板２８）と電気的に接続される。
【００３６】
そして、上述の如く、アース線挿入孔１３内に挿入される一次側アース線が端子板２８と電気的に接続され、各アース線挿入孔１２内に挿入される二次側アース線も端子板２８と電気的に接続されることで、一本又は複数本の二次側アース線及び一次側アース線は、端子板２８を介して電気的に接続されるのである。
【００３７】
ところで、アース線挿入孔１３内に挿入された一次側アース線であれば、ビス２０を緩めることにより、引き抜くことができるが、アース線挿入孔１２内に挿入された二次側アース線はそういうわけにはいかない。そこで、図６にも示す如く、解除カム１６にカム部４１が設けられる。該カム部４１は、解除カム１６の本体部（円柱状乃至円筒状の部分）から外方に突出するように形成され、速結端子３７の鎖錠片部３９に接離するようになっている。従って、解除カム１６のカム部４１が速結端子３７の鎖錠片部３９から離れた状態から該解除カム１６を一方向に所定角度で回転させると、カム部４１が鎖錠片部３９の上面に当接し、さらに解除カム１６を一方向に所定角度で回転させると、カム部４１が鎖錠片部３９の弾性力に抗して鎖錠片部３９を押し下げ、これにより、二次側アース線に対する食い付き状態が解除されて、二次側アース線の引き抜きが可能となる。
【００３８】
ここで特筆すべきは、一つの速結端子３７が左右一対のアース線挿入孔１２，１２に対応可能に設けられ、且つ、速結端子３７のおける左右一対の速結端子機能部に対して一つの解除カム１６で対応可能とすべく、該解除カム１６に一対のカム部４１，４１が設けられる点である。図４（ｂ）を見れば容易に理解できると思うが、解除カム１６を時計回りに所定角度で回転させると、一方のカム部４１（図における手前側のカム部４１）が速結端子３７の一方の鎖錠片部３９（図における手前側の鎖錠片部３９）を押し下げ、そこに挿入された二次側アース線が引き抜き可能となる一方、解除カム１６を反時計回りに所定角度で回転させると、他方のカム部４１（図面における奥側のカム部４１）が速結端子３７の他方の鎖錠片部３９（図における奥側の鎖錠片部３９）を押し下げ、そこに挿入された二次側アース線が引き抜き可能となる。
【００３９】
従って、本実施形態においては、各段に二つのアース線挿入孔１２，１２が設けられ、それぞれに速結端子機能部が設けられることで、各段に二本の二次側アース線を接続できるようになっており、しかも、その解除操作を一つの解除カム１６で行うことができる。
【００４０】
次に、本実施形態に係るアース線中継端子台１０をケース内に配置した分電盤について、図７を参酌しつつ説明する。本実施形態に係る分電盤は、分電用の各種機器を収容すべく、正面側が開放されたケース１と、該開放部を開閉自在且つ着脱自在に覆う正面カバー（図７においては、正面カバーが外されて図示されていない）とを備え、ケース１内に、リミッタ台５、主幹ブレーカ６あるいは複数の分岐ブレーカ７，…などが配置され、ケース１のベース（背面部）３における適宜箇所に形成された開口部４，…を通って壁面内からケース１内に引き込まれる屋内配線が各分岐ブレーカ７に接続される。また、屋内配線のうち、二次側アース線は、分岐ブレーカ７ではなく、アース線中継端子台１０に接続され、該アース線中継端子台１０に接続される一次側アース線を介して大地等の基準電位点にアース接続される。
【００４１】
アース線中継端子台１０は、ベース２のうち、ケース１の外周部、より詳しくは、ケース１の外周壁２の内側近傍であって、ケース１の正面形状である四角形の一辺（より詳しくは、長辺）に沿った箇所に取り付けられる。そして、このとき、アース線挿入孔１２，…は、当該一辺に沿って配置される格好となる。従って、本実施形態に係る分電盤によれば、ベース３の開口部４，…を通ってケース１内に引き込まれる二次側アース線は、正面側に膨らんだ配線態様とはならず、見栄えが良いばかりでなく、正面カバーの内面に接触することがないため、正面カバーの浮き上がりを好適に防止することができる。
【００４２】
これは、一次側アース線も同様である。一次側アース線が挿入されるアース線挿入孔１３，１３は、当該一辺に沿って配置される格好となるため、本実施形態に係る分電盤によれば、ベース３の開口部４，…を通ってケース１内に引き込まれる一次側アース線は、正面側に膨らんだ配線態様とはならず、見栄えが良いばかりでなく、正面カバーの内面に接触することがないため、正面カバーの浮き上がりを好適に防止することができる。
【００４３】
また、本実施形態に係る分電盤によれば、配線の流れがケース１の外周部における周方向と一致するため、配線の流れがバラバラといった統一感のない煩雑なイメージではなく、配線の流れを整流化でき、その結果、分岐ブレーカ７，…側の領域に配線が入り込むといった事態が生じにくく、これにより、分岐ブレーカ７，…への電線接続が非常にやりやすくなるという利点がある。
【００４４】
また、本実施形態に係る分電盤によれば、アース線挿入孔１２，…の位置が、段々と正面側に移り、且つ、段々と横方向に移るといった、立体的な配置となっているため、二次側アース線が複数本あっても、その接続を容易に行うことができるようになり、しかも、分岐ブレーカ７，…への配線に対応したそれぞれ二次側アース線の識別が容易となり、配線後の確認作業を効率的に行うことができるようになる。
【００４５】
尚、本発明は、上記実施形態に限定されるものではなく、本発明の要旨を逸脱しない範囲で種々の変更が可能である。
【００４６】
例えば、アース線接続端子台１０の配置箇所は、図７に示す箇所に限定されず、図８に示すように、ケース１の正面形状である四角形の他辺（より詳しくは、短辺）に沿った箇所に取り付けるようにしてもよいし、同じ一辺（より詳しくは、長辺）であっても、反対側（即ち、開口部４による占有面積が大きい側）の箇所に取り付けるようにしてもよいし、あるいは、外周壁２の内側近傍ではなく、外周壁２から離間した箇所に取り付けるようにしてもよい。
【００４７】
また、上記実施形態においては、本体１１の上面（分電盤に取り付けられた状態にあっては、正面）を段差状に形成し、アース線挿入孔１２，…の位置が段々と横方向に移るべく、各段に分けて設けるようにしているが、本体１１に段差を設けることなく、本体１１の左側面及び／又は右側面にアース線挿入孔１２，…を適宜間隔で設け、同じ面から複数本の二次側アース線が束となって出るような形態であってもよい。
【００４８】
あるいは、本体１１の上面を段差状とするのではなく、傾斜面状とし、その傾斜面の適宜の箇所にアース線挿入孔１２，…を形成するようにしてもよい。
【００４９】
また、上記実施形態においては、一つの解除カム１６が二つのアース線挿入孔１２，１２に挿入される二本の二次側アース線のそれぞれ鎖錠状態を解除するといった、集約型構造を採用することにより、作業の利便性、部品点数削減によるコスト低減を図っているが、各アース線挿入孔１２に対して一つずつ解除カム１６を設けるようにしてもよいし、逆に、三つ以上のアース線挿入孔１２，…に対して一つの解除カム１６を設けるようにしてもよい。
【００５０】
また、上記実施形態においては、アース線挿入孔１２を二次側アース線のために設けると共に、アース線挿入孔１３を一次側アース線のために設けているが、二次側アース線をアース線挿入孔１３内に挿入して接続するようにしてもよいし、あるいは、挿入可能ならば、一次側アース線をアース線挿入孔１２内に挿入して接続するようにしてもよい。
【符号の説明】
【００５１】
１…ケース、２…外周壁、３…ベース、４…開口部、５…リミッタ台、６…主幹ブレーカ、７…分岐ブレーカ、１０…アース線中継端子台、１１…本体、１２…アース線挿入孔、１３…アース線挿入孔、１４…段差の立面、１５…段差の平面、１６…解除カム、１７…突出部分、１８…延出部分、１９…ガイド用凹部、２０…ビス、２１…通孔、２５…カバー、２６…ベース、２７…突片、２８…端子板、２９…第一端子板、３０…第二端子板、３１…リベット、３２…通孔、３３…凸部、３４…通孔、３５…延長部、３６…角筒体、３７…速結端子、３８…基部、３９…鎖錠片部、４０…圧着片部、４１…カム部
【図１】
2010252543.tif 000003
【図２】
2010252543.tif 000004
【図３】
2010252543.tif 000005
【図４】
2010252543.tif 000006
【図５】
2010252543.tif 000007
【図６】
2010252543.tif 000008
【図７】
2010252543.tif 000009
【図８】
2010252543.tif 000010
【図９】
2010252543.tif 000011
【図１０】
2010252543.tif 000012
【図１１】
2010252543.tif 000013
【図１２】
2010252543.tif 000014